(57)【要約】  液体を貯蔵および分注するための容器が記載され、容器は、基部と、頂部と、基部と頂部との間に延びる周壁と、を含み、頂部に開口部が設けられ、周方向内側に向けられた構成が、開口部に近接して周壁に設けられる。【選択図】図１
2020519545.tif 000002
【特許請求の範囲】
【請求項１】
液体を貯蔵および分注するための容器であって、
基部と、
頂部と、
前記基部と前記頂部との間に延びる周壁と、
を含み、
前記頂部に開口部が設けられ、
周方向内側に向けられた構成が、前記開口部に近接して前記周壁に設けられる、容器。
【請求項２】
前記内側に向けられた構成は、前記周壁の上部３０％内に設けられる請求項１に記載の容器。
【請求項３】
前記内側に向けられた構成は、前記周壁の上部２０％内に設けられる請求項１または２に記載の容器。
【請求項４】
前記内側に向けられた構成は、前記周壁の上部１０％内に設けられる請求項１から３のいずれか一項に記載の容器。
【請求項５】
前記内側に向けられた構成は、前記周壁における内側に向けられたくぼみの形態である請求項１から４のいずれか一項に記載の容器。
【請求項６】
前記容器は実質的に円筒状である請求項５に記載の容器。
【請求項７】
前記くぼみの最深部における前記容器の直径の、前記円筒状の壁における直径に対する比は、０．８から０．９の間である請求項６に記載の容器。
【請求項８】
前記くぼみの最深部における前記容器の直径の、前記円筒状の壁における直径に対する比は、約０．８３である請求項６に記載の容器。
【請求項９】
前記くぼみの鉛直高さの、前記くぼみにおける直径に対する比は、０．１５から０．４の間である請求項６に記載の容器。
【請求項１０】
前記くぼみの鉛直高さの、前記くぼみにおける直径に対する比は、約０．２である請求項６に記載の容器。
【請求項１１】
前記開口部は、前記周壁の内側に向かう方向に延びる最大高さ寸法、および前記最大高さ寸法に対して横に延びる最大幅寸法、を有し、前記最大幅寸法は、前記周壁の内側に向かう方向の前記最大高さ寸法に沿った道筋の５０％超に位置する点で前記最大高さ寸法と交差する請求項１から１０のいずれか一項に記載の容器。
【請求項１２】
前記最大幅寸法は、前記周壁の内側に向かう方向の前記最大高さ寸法に沿った道筋の７５％超に位置する点で前記最大高さ寸法と交差する請求項１２に記載の容器。
【請求項１３】
前記最大幅寸法は、前記周壁の内側に向かう方向の前記最大高さ寸法に沿った前記道筋の約９０％に位置する点で前記最大高さ寸法と交差する請求項１２に記載の容器。
【請求項１４】
前記容器は缶である請求項１から１３のいずれか一項に記載の容器。
【請求項１５】
前記容器は瓶である請求項１から１４のいずれか一項に記載の容器。
【請求項１６】
前記容器はドラム缶である請求項１から１５のいずれか一項に記載の容器。
【請求項１７】
液体を貯蔵および分注するための容器であって、
基部と、
頂部と、
前記基部と前記頂部との間に延びる周壁と、
を含み、
前記頂部に開口部が設けられ、
前記開口部は、前記周壁の内側に向かう方向に延びる最大高さ寸法、および前記最大高さ寸法に対して横に延びる最大幅寸法、を有し、前記最大幅寸法は、前記周壁の内側に向かう方向の前記最大高さ寸法に沿った道筋の５０％超に位置する点で前記最大高さ寸法と交差する、容器。
【発明の詳細な説明】
【技術分野】
【０００１】
本発明は、液体を貯蔵および分注するための容器に関する。
【背景技術】
【０００２】
大抵の液体貯蔵容器は、封止された開口部を上部領域に有する。容器から液体を分注するには、開口部が開封され、次いで容器の内容物を開口部から注ぎ出させるように容器が傾けられる。この機構は、よく知られており、缶および瓶のような飲料容器、ならびにより大きい体積の流体を貯蔵するためのドラム缶型容器のようなより大きい容器に見られる。
【発明の概要】
【発明が解決しようとする課題】
【０００３】
容器を傾けることによって容器から液体を分注することは、いくつかの欠点をもたらす。缶または瓶から飲まれる飲料の場合、多くの人は、飲料を飲む経験は、同じ飲料をコップから飲む経験に及ばないことを知っている。より大きいドラム缶型容器から液体を分注する場合には、人身傷害、流体損失および局所的な汚染の危険をもたらす溢流が生じる場合が多い。
【０００４】
液体を貯蔵および分注するための改善された容器が依然として必要とされる。
【課題を解決するための手段】
【０００５】
第１の態様において、本発明は、基部と、頂部と、基部と頂部との間に延びる周壁と、を含み、開口部が頂部に設けられ、周方向内側に向けられた構成が開口部に近接して周壁に設けられる、液体を貯蔵および分注するための容器を提供する。
【０００６】
内側に向けられた構成は、周壁の上部３０％内に設けられてもよい。
【０００７】
内側に向けられた構成は、周壁の上部２０％内に設けられてもよい。
【０００８】
内側に向けられた構成は、周壁の上部１０％内に設けられてもよい。
【０００９】
内側に向けられた構成は、周壁における内側に向けられたくぼみの形態であってもよい。
【００１０】
容器は、実質的に円筒状であってもよい。
【００１１】
くぼみの最深部における容器の直径の、円筒状の壁における直径に対する比は、０．８から０．９の間であってもよい。
【００１２】
くぼみの最深部における容器の直径の、円筒状の壁における直径に対する比は、約０．８３であってもよい。
【００１３】
くぼみの鉛直高さの、くぼみにおける直径に対する比は、０．１５から０．４の間であってもよい。
【００１４】
くぼみの鉛直高さの、くぼみにおける直径に対する比は、約０．２であってもよい。
【００１５】
開口部は、周壁の内側に向かう方向に延びる最大高さ寸法、および最大高さ寸法に対して横に延びる最大幅寸法を有していてもよく、最大幅寸法は、周壁の内側に向かう方向の最大高さ寸法に沿った道筋の５０％超に位置する点で最大高さ寸法と交差してもよい。
【００１６】
最大幅寸法は、周壁の内側に向かう方向の最大高さ寸法に沿った道筋の７５％超に位置する点で最大高さ寸法と交差してもよい。
【００１７】
最大幅寸法は、周壁の内側に向かう方向の最大高さ寸法に沿った道筋の約９０％に位置する点で最大高さ寸法と交差してもよい。
【００１８】
容器は、缶であってもよい。
【００１９】
容器は、瓶であってもよい。
【００２０】
容器は、ドラム缶であってもよい。
【００２１】
第２の態様において、本発明は、液体を貯蔵および分注するための容器であって、基部と、頂部と、基部と頂部との間に延びる周壁と、を含み、頂部に開口部が設けられ、開口部が、周壁の内側に向かう方向に延びる最大高さ寸法、および最大高さ寸法に対して横に延びる最大幅寸法を有し、最大幅寸法は、周壁の内側に向かう方向の最大高さ寸法に沿った道筋の５０％超に位置する点で最大高さ寸法と交差する、容器を提供する。
【００２２】
本発明の実施形態は、単に例として、添付図面を参照して、これから記載される。
【図面の簡単な説明】
【００２３】
【図１】実施形態による飲料缶の斜視図である。
【図２】開いて示される、缶から液体を分注するプロセスにおける、図１の缶の断面図である。
【図３】図２の飲料缶の図の正面を示す図である。
【図４】図１の缶を手に持つ２つのスタイルのうち１つを示す図である。
【図５】図１の缶を手に持つ２つのスタイルのうち１つを示す図である。
【図６】缶の他の実施形態において使用され得る開口部の代替的な形状を示す図である。
【図７】缶の他の実施形態において使用され得る開口部の代替的な形状を示す図である。
【図８】図１の缶を形成する方法における加工工程を示す図である。
【図９】図１の缶を形成する方法における加工工程を示す図である。
【図１０】図１の缶を形成する方法における加工工程を示す図である。
【図１１】図１の缶を形成する方法における加工工程を示す図である。
【図１２】図１の缶を形成する方法における加工工程を示す図である。
【図１３】図１の缶を形成する方法における加工工程を示す図である。
【図１４】２つのさらなる実施形態による２つの瓶のうち１つを示す図である。
【図１５】２つのさらなる実施形態による２つの瓶のうち１つを示す図である。
【図１６】実施形態による化学物質を貯蔵するためのドラム缶を示す図である。
【発明を実施するための形態】
【００２４】
図１を参照すると、液体を貯蔵および分注するための容器は、飲料缶１０の形で示される。缶１０は、円筒状の側壁１２の形の周壁および基底１４の形の基部を含む。缶１０は、また、開口部２２を含むキャップ２０の形の頂部を含む。開口部２２は、それが切れ目線によって画定される易壊領域２８によって占められる封止された状態で、図１に示される。缶は、リングプル２４の持ち上げることによって易壊領域２８を部分的に分離させてキャップ２０の内側に曲げ、それにより開口部２２を形成することによって開けられる。缶１０の側壁１２は、壁における環状のくぼみ３０によって形成される周方向内側に向けられた構成（図２も参照）を含む。
【００２５】
図２を参照すると、缶１０は開けられており、缶を横に傾けることによって缶の液体内容物４０を分注する工程が途中まで示される。液体４０は、矢印Ｆで示されるように、開口部２２から発出する。液体４０が缶１０から離れる際、液体は、矢印Ｅで示される缶に入る空気によって置換される。液体４０が開口部に近づく際、液体は、環状のくぼみ３０の内側の面である構成を通り越す。容器開口部の近くに環状のくぼみを設けることは、流れを乱流ではなく層流にすることにより、容器から発出する液体の流れ特性を大いに向上させることが見出されている。
【００２６】
理論によって縛られることを望むことなく、環状のくぼみは、缶の内部に凸状の移動ハンプと呼ばれてもよいものを作り出すと考えられる。これは、缶内部で凸状のハンプのいずれの側でも液体が相対的に動きなしに留まることを促進する。これは、次いで、上記液体が、より層流の（かつあまり乱流ではない）流れにおいて、凸状のハンプよりも上方で、直接的に出口に向かって、浮かぶことを促進する。これは、乱流源である缶の壁に対する移動する流体の摩擦を低減させる。
【００２７】
ここで図３を参照すると、容器１０は、図２において示されるのと同一の構成において端面図において示される。液面４０は、開口部２２を通して目に見える。例示の容易のために、この構成において容器から発出され得る液体の流れＦは、示されていない。
【００２８】
開口部２２は、その下部領域と比較されたときに、図３に見られるように、その上部領域において、幾分、幅がより広いことが見られる。開口部２２は、構造線Ａから構造線Ｂまで周壁の内側に向かう方向に延びる最大高さ寸法Ｄ、および最大高さ寸法Ｄに対して横に延びる最大幅寸法Ｃを有する。最大幅寸法Ｃは、周壁の内側に向かう方向の最大高さ寸法に沿った道筋の９０％に位置する点において、最大高さ寸法Ｄと交差する。すなわち、構造線Ａから線Ｃおよび線Ｄの交点までの距離は、構造線Ｂから線Ｃおよび線Ｄの交点までの距離の９倍である。
【００２９】
開口部（出口）２２の形状は、缶からの層流をさらに支持し、開口部における乱流およびゴボゴボという音を立てる傾向を低減させる。空気は、液体４０の上面の上方の上部幅広部分を通って入る。
【００３０】
環状のくぼみ３０は、さもなければ缶内に貯蔵される飲料を温める可能性のある缶内への熱伝導を最小限にする方法で缶１０を持つことを容易にするのに便利な構成を提供する。図４において、親指と人差し指との間で保持される缶１０が示される。対照的に、使用者は、通常、標準的な直線状の側部の円筒状の缶を、掌の中に、かつ多くの指を缶の周りにかけて、保持し得る。図４に示される握り方は、使用者の手の暖かい肌と缶の外面との間の接触表面積がはるかに小さくなり、缶内への熱伝導を低減させる。
【００３１】
同様に、図５において、親指と指先との間の上手型の握りにおける缶１０が示される。この握り方もまた、使用者の手の肌と缶の外面との間の接触表面積がはるかに小さくなり、缶内への熱伝導を低減させる。
【００３２】
上述の実施形態において、環状のくぼみは、容器の高さの上部２０％内に設けられた。他の実施形態において、環状のくぼみは、容器の高さの上部３０％内に設けられてもよい。
【００３３】
上述の実施形態において、くぼみの最深部における容器の直径の、円筒状の壁における直径に対する比は、０．８３である。他の実施形態において、この比は、０．８から０．９の間であってもよい。
【００３４】
上記実施形態において、環状のくぼみの鉛直高さの、くぼみの最深部において測定される容器の直径に対する比は、０．２である。他の実施形態において、この比は、０．１５から０．４の間であってもよい。
【００３５】
缶の開口部２２の形状の変形に関して、上述の実施形態において、最大幅寸法Ｄは、周壁の内側に向かう方向の最大高さ寸法に沿った道筋の９０％に位置する点において、最大高さ寸法と交差した。他の実施形態において、最大幅寸法は、周壁の内側に向かう方向の最大高さ寸法に沿った道筋の５０％または７５％超に位置する点において、最大高さ寸法と交差してもよい。
【００３６】
缶の開口部のいくつかの可能な代替的な外形形状は、図６において符号１２２および図７において符号２２２が付されて示される。
【００３７】
図８から図１１を参照して、アルミニウムから缶１０を形成するための一連の操作がここで説明される。予備形成された缶本体は、回転式タレットにより局部絞り機内に運搬される。タレットは、缶の本体に環状のくぼみを作り出すための一連のダイス型を保持し、これは、缶の基底に平行に形成される。部分的に形成された缶の本体は、直径をより小さくするためのダイス組立体６２を含む工具機構６０（図８参照）によって周囲（外径）に引き込まれる段階的半径（面取り）を有する。工具機構は、段階的半径の付加によって缶の本体に引き込まれた新しい内径を維持するために挿入される内部支持シャフト６４を有する。工具機構は、缶の本体を覆い、外周を内側に引く。一連のダイス型は、図９に見られるように、缶上に移動し、各々直径を低減させおよび外角を変動させて、部分的に形成された缶本体をもたらす。
【００３８】
ここで、図１０を参照すると、着実に増大する直径６６の一連の内部拡張ダイス型（そのうちの１つが図１０に示される）は、部分的に形成された缶本体１０ａを圧迫し、次いで、くぼみを作り出すために、缶本体の頂部領域の直径のサイズを増大させるようにさせられる。ダイス型シュラウド６８は、缶の増大する外径を保護する。
【００３９】
缶内に引き込まれたくぼみ角度の完全性は、完全性リング７０によって保護される。完全性リング７０は、図１１および図１２に最もよく見られる。それは、くぼみの形状を形成するために部分的に形成された缶本体の周りにもたらされる２つの半分部分７０ａ、７０ｂで提供される。一連の内部拡張ダイス型６６は、内部直径を段々と増大させて外部外径に戻し、これは、外部拡張シュラウド（図１３参照）によって支持される。拡張ダイス型シャフトは、また、くぼみの逆角度を作り出す二重作用を有する。完了時に、充填およびキャップでの閉鎖に備えて缶本体を完成させるために、縁トリミング、局部絞りおよびクリンピングのために十分な缶本体材料がくぼみの上方に残っている。
【００４０】
キャップ２０は、所望の形状の出口を作り出すために、型抜きおよび型押しされる。缶本体は、慣用の方法でキャップ２０を適用することにより、閉じられる。
【００４１】
上述のものに類似する一連の操作は、Ｂｅｌｖａｃ  Ｐｒｏｄｕｃｔｉｏｎ  Ｍａｃｈｉｎｅｒｙ，Ｉｎｃによって生産されるバーチカルサイドウォールシェーパー（商標）（Ｖｅｒｔｉｃａｌ  Ｓｉｄｅｗａｌｌ  Ｓｈａｐｅｒ（商標））機械（ｗｗｗ．ｂｅｌｖａｃ．ｃｏｍ）のような、既存の缶製造機械を用いる使用のために準備される１組のダイス型を用いて、実施され得る。
【００４２】
缶１０は、代替的に、スチールから形成され得る。スチールを用いる製造プロセスでは、缶の壁がしごき加工された後、スチール缶は、環状のくぼみを缶の外部に加えるために、ビーダーに入り得る。幾分か楔の形をしたローラーは、缶の本体の外部に環状のくぼみを刻むために使用される。
【００４３】
容器は、また、瓶の形で提供されてもよく、その例は、図１４、図１５において符号１００，２００が付されている。瓶１００、２００は、プラスチック（すなわちＰＥＴ）またはガラスのいずれかから、伝統的な方法でモールディングによって、形成されてもよい。環状のくぼみ１３０、２３０は、適当に成形されたモールドを準備することによって形成される。
【００４４】
容器は、また、ドラム缶の形で提供されてもよい。図１６は、本発明の実施形態によるスチールドラム缶３００を示す。くぼみ３３０は、ドラム缶ビーダー上の生成の点において、ドラム缶に成形されることによって形成されている。ビーダーは、剛性のために、２つまたは３つのローリングフープ（ドラム缶の体積に応じる）をドラム缶の外郭構造に加える。さらなる楔形のローラーは、ローリングフープが加えられる際に、外郭構造にくぼみ３３０を同時に形成するために、このプロセスに組み込まれる。
【００４５】
ドラム缶は、また、目的のために準備されたモールドを使用する、知られている方法で、モールディングおよびブローイングによって、プラスチックから形成され得る。
【００４６】
本発明の実施形態によるドラム缶および瓶は、本来は、毒性、放射能性、酸性、アルカリ性および／または生物医学的であることなどによって有害である液体を含むある範囲の液体を貯蔵するために使用され得る。
【００４７】
本発明の実施形態は以下の利点の少なくとも１つを有することが理解できる。
【００４８】
１．  保持の容易  −  改善された心地よい把持および安全性。
【００４９】
手が、容器の把持を安定させるくぼみに自然に届き、水分が存在するときでも滑りの危険性を低減させる。
【００５０】
２．  低減された熱伝導  −  エネルギー節約および向上された楽しみ。
【００５１】
くぼみを把持するための手の動きは、冷たい飲料と接触する手の表面積を減少させる。これは、より冷たい流体への熱流を低減させ、また潜在的に、飲料が、手の中にあるときほどは速く温まらないので、わずかにより高い温度で送達され得ることを意味する。これは、缶を冷却するためのエネルギーの初期費用を低減させる。
【００５２】
３．  改善された流体動力学  −  増大される層流および低減される乱流。
【００５３】
流体動力学は、液体がどのように流れるかについての科学である。流体は、概して、層流および乱流の２つの方法で流れる。ほとんどの飲料容器、特に缶（アルミニウムまたはスチール）および瓶において、流体流は、乱流である主要な成分を有する。液体における乱流は、炭酸を含んでいるものでも炭酸が入っていないものでも（飲料）、および有害な流体であっても、全ての液体種類の性質を変化させる。
【００５４】
周方向内側に向けられた構成は、容器を傾けて容器から注ぐ間に液体が主に層流に留まることを可能にする。飲料缶のように出口を持つものは、出口が、注がれるものの大部分にわたってこの内部層流を促進するように特に成形されている。
【００５５】
４．  低減されたゴボゴボ音／シュッシュという音、  −  低減された空気混和、げっぷおよび改善された消化。
【００５６】
炭酸飲料において炭酸化は飲料の主要な特性化であるが、空気混和は、任意の液体の多くの自然の性質を乱す。
【００５７】
些少なレベルでは、炭酸化されたソフトドリンク、水、またはアルコール飲料が既存の缶から消費されるとき、それらは、液体が缶の出口から出る際に乱流を経験する。これは、ゴボゴボ音（シュッシュという音）を促進するとともに、液体の空気混和を増大させ、炭酸化の性質を低減させ、また消費者が空気を飲み込むことを強いる。最終結果として、げっぷ（おくび）、胃痙攣、鼓腸、または他の消化の乱れをもたらす可能性のある、過剰な気体消費を生み出す。本発明の実施形態は、内部液体移動ハンプ（増大される層流の促進）および空気流が液体の流出物の上を流れることを可能にする出口の上部幅広部分によって、ゴボゴボ音および空気混和の機会を低減させる。
【００５８】
引火性液体の場合、乱流からの空気混和は、引火性物質にわたる引火性を増大させる。したがって、空気混和の低減は、火災の危険性を低減させる。
【００５９】
５．  持続される炭酸化（泡立ち／シューという音）  −  改善された製品の味。
【００６０】
６．  糖の低減  −  フレーバーの損失を伴わない。
【００６１】
本発明の実施形態は、液体がより高い層流、低減されたゴボゴボ音および低減された空気混和を経験するので、缶に詰められた飲料の味の変化を生み出し得る。
【００６２】
このより層流の方法において消費される甘味を付けた液体は、ブランド製品の設計の一部としての糖または人工甘味料の適度な低減に気づかないようにヒトの味覚に働きかけることが実験で示された。これは、甘い味覚の製品は、口当たりおよび味覚に対する乱流の負の影響に起因して、既存の缶からでは甘さが低下して感じられる傾向があるためである。これは、甘味飲料の製造業者に糖含有量を実際に低減させ、使用者に甘さの低減を経験させない道を開く。これは、原材料費用を節約するとともに、低減された糖摂取を所望する消費者／政府にアピールする。
【００６３】
７．  口当たりが改善され、使用者に合わせて調整され得る  −使用者の経験を増進する。
【００６４】
口当たりは、味覚の前駆体である感覚であり、消費者が好みおよび満足に対して標準であるとして認識するものである。口当たりは、消費に対する最初の反応であるので、口当たりは、流量および改善された層流の注ぎを通して、修正または設計され得る。
【００６５】
８．  より速い消費速度  −  増大された層流および低減された空気混和を介する。
【００６６】
増大された層流、低減された空気混和、および他の要因は、流体が、缶または瓶からより速く流出することを可能にする。
【００６７】
本明細書に含まれる先行技術のいかなる参照も、別段の指示がない限り、情報が共通の一般知識であることを認めるものとして受け止められるべきではない。
【００６８】
最後に、本発明の精神または範囲から逸脱することなく前述の部分に対して様々な変更または付加がなされてもよいことは理解されたい。
【００６９】
特許請求の範囲に記載された発明は、特許請求の範囲に記載された新規な機構を、単独でまたはその任意の組み合わせのいずれかで、含んでいてもよい。
【図１】
2020519545.tif 000003
【図２】
2020519545.tif 000004
【図３】
2020519545.tif 000005
【図４】
2020519545.tif 000006
【図５】
2020519545.tif 000007
【図６】
2020519545.tif 000008
【図７】
2020519545.tif 000009
【図８】
2020519545.tif 000010
【図９】
2020519545.tif 000011
【図１０】
2020519545.tif 000012
【図１１】
2020519545.tif 000013
【図１２】
2020519545.tif 000014
【図１３】
2020519545.tif 000015
【図１４】
2020519545.tif 000016
【図１５】
2020519545.tif 000017
【図１６】
2020519545.tif 000018
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
液体を貯蔵および分注するための容器であって、
基部と、
頂部と、
前記基部と前記頂部との間に延びる周壁と、
を含み、
前記頂部に開口部が設けられ、
周方向内側に向けられた構成が、前記開口部に近接して前記周壁に設けられ、
前記容器は缶であり、
前記内側に向けられた構成は、前記周壁における内側に向けられたくぼみの形態であり、
前記容器は実質的に円筒状であり、
前記くぼみの最深部における前記容器の直径の、前記円筒状の壁における直径に対する比は、０．８から０．９の間であり、
前記くぼみの鉛直高さの、前記くぼみにおける直径に対する比は、０．１５から０．４の間である、容器。
【請求項２】
前記内側に向けられた構成は、前記周壁の上部３０％内に設けられる請求項１に記載の容器。
【請求項３】
前記内側に向けられた構成は、前記周壁の上部２０％内に設けられる請求項１に記載の容器。
【請求項４】
前記内側に向けられた構成は、前記周壁の上部１０％内に設けられる請求項１に記載の容器。
【請求項５】
前記くぼみの最深部における前記容器の直径の、前記円筒状の壁における直径に対する比は、約０．８３である請求項１に記載の容器。
【請求項６】
前記くぼみの鉛直高さの、前記くぼみにおける直径に対する比は、約０．２である請求項１に記載の容器。
【請求項７】
前記開口部は、前記周壁の内側に向かう方向に延びる最大高さ寸法、および前記最大高さ寸法に対して横に延びる最大幅寸法、を有し、前記最大幅寸法は、前記周壁の内側に向かう方向の前記最大高さ寸法に沿った道筋の５０％超に位置する点で前記最大高さ寸法と交差する請求項１から６のいずれか一項に記載の容器。
【請求項８】
前記最大幅寸法は、前記周壁の内側に向かう方向の前記最大高さ寸法に沿った道筋の７５％超に位置する点で前記最大高さ寸法と交差する請求項７に記載の容器。
【請求項９】
前記最大幅寸法は、前記周壁の内側に向かう方向の前記最大高さ寸法に沿った前記道筋の約９０％に位置する点で前記最大高さ寸法と交差する請求項７に記載の容器。
【国際調査報告】
2020519545.tif 000019
2020519545.tif 000020
2020519545.tif 000021
2020519545.tif 000022
2020519545.tif 000023
2020519545.tif 000024